(57)【要約】【課題】無線ＬＡＮ端末を持ち歩き、無線ＬＡＮ基地局、公衆無線ＬＡＮ等を使用して様々なデータ送受信をするシステムに関しては、端末の電力消費の低減化および無線接続の迅速化が望まれている。【解決手段】広帯域通信手段である第1の通信手段と、狭帯域通信手段である第2の通信手段とを有するノードを用い、第1の通信手段は第2の通信手段からの信号によりＯＮ、ＯＦＦを含む制御をおこなう。さらに、第2の通信手段が第1の通信手段を間欠動作させる起動制御部を有する場合、第1の通信手段が第２の通信手段の通信を記憶する記憶部を有している場合はその効果を顕著にあらわすことができる。【選択図】図１
2010206435.tif 000002
【特許請求の範囲】
【請求項１】
第1の通信手段と、
第2の通信手段とよりなるモバイルノードであって、
前記第1の通信手段は前記第2の通信手段からの信号により前記第1の通信手段の起動または停止のうちの少なくとも一つを行なう制御部を有し。
前記第2の通信手段は前記第1の通信手段を用いて通信を行なう通信相手からの受信を行なう受信部を有するものである前記モバイルノード装置。
【請求項２】
前記第1の通信手段が広帯域通信手段であり、前記第2の通信手段が狭帯域通信手段である請求項１に記載のモバイルノード装置。
【請求項３】
前記第2の通信手段が前記第1の通信手段を間欠動作させる起動制御部を有するものである請求項１または請求項２に記載のモバイルノード装置。
【請求項４】
前記第1の通信手段が前記第２の通信手段の通信を記憶する記憶部を有するものである請求項１ないし請求項３に記載のモバイルノード装置。
【請求項５】
前記第1の通信手段の通信範囲と前記第2の通信手段の無線伝播範囲がほぼ等しい範囲である請求項1ないし請求項４に記載のモバイルノード装置。
【請求項６】
第1の通信手段と、第2の通信手段とよりなるモバイルノードに用いる通信方法であって、
前記第1の通信手段は前記第2の通信手段からの信号をうけ、前記第1の通信手段の起動または停止をおこない、その後に前記第2の通信手段が前記第1の通信手段を用いて通信を行なう通信相手からの受信を行なうものである前記モバイルノードの通信方法。
【請求項７】
第1の通信手段と、第2の通信手段とよりなるモバイルノードに用いるプログラムであって、
前記第1の通信手段が前記第2の通信手段からの信号をうけるステップと、前記第1の通信手段の起動または停止をおこなうステップと、前記起動または停止を行ない、前記第2の通信手段が前記第1の通信手段を用いて通信を行なう通信相手からの受信を行なうステップとよりなるモバイルノードの通信プログラム。
【請求項８】
前記モバイルノードに設けた第1の通信手段と通信を行なう第1基地通信部と、
前記モバイルノードに設けた第2の通信手段と通信を行なう第2基地通信部と、
よりなる基地局装置であって、
前記第2基地通信部は前記モバイルノード解析部を有し、
前記第1基地通信部は前記モバイルノードの接続リストを有するものである前記基地局装置。
【請求項９】
第1の通信手段と、第2の通信手段とよりなるモバイルノードと前記モバイルノードに設けた第1の通信手段と通信を行なう第1基地通信部と、前記モバイルノードに設けた第2の通信手段と通信を行なう第2基地通信部とよりなる基地局装置とで構成される通信システムであって、
前記第1の通信手段は前記第2の通信手段からの信号により前記第1の通信手段の起動または停止のうちの少なくとも一つを行なう制御部を有し。
前記第2の通信手段は前記第1の通信手段を用いて通信を行なう通信相手からの受信を行なう受信部を有するものであり、
前記第2基地通信部は前記モバイルノード解析部を有し、
前記第1基地通信部は前記モバイルノードの接続リストを有するものである前記通信システム。
【請求項１０】
第1の通信手段と、第2の通信手段とよりなるモバイルノードと前記モバイルノードに設けた第1の通信手段と通信を行なう第1基地通信部と、前記モバイルノードに設けた第2の通信手段と通信を行なう第2基地通信部とよりなる基地局装置とで構成されるシステムにもちいる通信方法であって、
前記第1の通信手段は前記第2の通信手段からの信号により前記第1の通信手段の起動または停止のうちの少なくとも一つを行ない、前記第2の通信手段は前記第1の通信手段を用いて通信を行なう通信相手からの受信を行ない、前記第2基地通信部は前記モバイルノード解析部が解析を行い、前記第1基地通信部は前記モバイルノードの接続リストを作成するものである前記通信方法。
【発明の詳細な説明】
【技術分野】
【０００１】
近年、公衆を対象とした無線のＬＡＮ（ローカルエリアネットワーク）の普及に伴い、外出先で無線ＬＡＮを使うことができる環境が整いつつある。無線ＬＡＮを使うことで、有線での接続を行うことなく、インターネットに接続し大容量データの送受信が可能である。また、電池を内蔵するアクティブタグとアクティブタグへの読み出しおよび書き込みを可能とするリーダライタ装置とを用いたアクティブタグ無線通信方式の提案がなされている。
【０００２】
本発明は、無線ＬＡＮ端末を持ち歩き、自宅の無線ＬＡＮ基地局、公衆無線ＬＡＮ等を使用して様々なデータ送受信をするシステムに関し、特に、無線ＬＡＮ端末の電力消費の低減化の技術に関するものである。
【背景技術】
【０００３】
特許文献１にて、無線ＬＡＮ通信装置間でのタイムアウトによる切断時の再接続を効率化する発明について開示されている。無線ＬＡＮ接続を行う携帯機器は、非接触ＩＣ（Ｉｎｔｅｇｒａｅｄ  Ｃｉｒｃｕｉｔ：集積回路）を用いて、無線ＬＡＮのＡＰ（Ａｃｃｅｓｓ  Ｐｏｉｎｔ：アクセスポイント）との接続を行うために必要な接続用設定データであるＳＳＩＤ、暗号キー等を無線ＬＡＮのＡＰと接続中のＰＣ（Ｐｅｒｓｏｎａｌ  Ｃｏｍｐｕｔｅｒ：パーソナルコンピュータ）より取得する。携帯機器は、無線ＬＡＮのＡＰとタイムアウト切断後にも接続用設定データを保持し続けることで、再接続時に再度接続データを取得する必要がなくなる技術に関しての発明である。
【特許文献１】特開２００８-２７１１５０号公報
【発明の開示】
【発明が解決しようとする課題】
【０００４】
しかし、特許文献１では、ＡＰに接続しＣＮ（Ｃｏｒｒｅｓｐｏｎｄｅｎｔ  Ｎｏｄｅ：通信相手）とセッションを確立しデータ送受信を行い、セッション終了後にＡＰとの接続がタイムアウトしていた場合、ＣＮから送信されたパケットを受信する手法の開示がない。ＡＰとの接続がタイムアウトした携帯機器は、自分から再接続の処理をしない限りパケットを受信することはできない。
また、ＰＳモード（Ｐｏｗｅｒ Ｓａｖｅ  ｍｏｄｅ：省電力モード）の動作中の携帯機器へのパケット送信には遅延が発生することが課題とされている。ＰＳモードの携帯機器への送信パケットをＡＰが受信した場合、ＡＰは、携帯機器の周期的な起動スケジュールに合わせてパケットの送信を行う必要があるため、携帯機器宛のパケット送信が効率的とは言えず、移動状態によっては、携帯機器はパケットを受信する前にＡＰとの通信範囲外へと移動してしまうことが有り得る。
【課題を解決するための手段】
【０００５】
上記課題を解決するために、本願では第1の通信手段と、第2の通信手段とよりなるモバイルノードであって、前記第1の通信手段は前記第2の通信手段からの信号により前記第1の通信手段の起動または停止のうちの少なくとも一つを行なう制御部を有し、前記第2の通信手段は前記第1の通信手段を用いて通信を行なう通信相手からの受信を行なう受信部を有するものである前記モバイルノード装置とする。
また前記第1の通信手段が広帯域通信手段であり、前記第2の通信手段が狭帯域通信手段である上記ののモバイルノード装置とする。
また、前記第2の通信手段が前記第1の通信手段を間欠動作させる起動制御部を有するものである上記のモバイルノード装置とする。
また、前記第1の通信手段が前記第２の通信手段の通信を記憶する記憶部を有するものである上記のモバイルノード装置とする。
また、前記第1の通信手段の通信範囲と前記第2の通信手段の無線伝播範囲がほぼ等しい範囲である上記のモバイルノード装置とする。
【０００６】
これらの構成により、本願のモバイルノード装置は、通信の帯域が狭く、空きが多いバンドである狭帯域通信により、モバイルノードに搭載した通信の帯域が広いが混雑が生じやすい無線LAN等に用いるバンドを用いた広帯域通信での通信を制御することにより、通信の確立を容易にすることができる。
【０００７】
また、狭帯域バンドでの通信はその消費電力が広帯域での通信よりも送受信に用いるエネルギーが少なくて済む、このため狭帯域バンドでの通信で広帯域バンドでの通信を制御すれば省電力につながる。さらに、狭帯域バンドで送受信機間での同期をとった間欠送受信を行なえばさらに省電力を図ることができる。
【発明の効果】
【０００８】
本発明は、無線ＬＡＮのＡＰとの通信範囲内にいる携帯機器の無線ＬＡＮインターフェースの電源がＯＦＦとなっている状態及びＰＳモードで動作している状態の双方において、携帯機器宛のパケットをＡＰが受信した際に、携帯機器の無線ＬＡＮインターフェースを明示的に起動させることで、効率的なパケット転送を実現する無線通信システムを提供するものである。
【発明を実施するための最良の形態】
【０００９】
以下、本発明を実施する際の最良の形態の例を説明する。
（実施の形態１）
図１は、本実施の形態を構成する無線通信システム１の全体構成例を示す図である。無線通信システム１は、ＭＮ（Ｍｏｂｉｌｅ  Ｎｏｄｅ：モバイルノード）１０と、Ｔａｇ  Ｒｅａｄｅｒ（タグリーダ）２０と、Ｗｉ−Ｆｉ  ＡＰ（Ｗｉ−Ｆｉ  アクセスポイント）２０、とを含む。
【００１０】
ＭＮ１０は、周期的なデータ送信を行う、無線通信手段９５０ＭＨｚで通信を行なう  Ｔａｇ（タグ）４０と、大容量データの送受信を行う、無線通信手段としてＷｉ−Fiを用いる  ＳＴＡ５０から構成される。    
ここでＭＮ１０はＭＮ１０で示した位置からＭＮ１０ｂに移動する場合を例とする、また、基地局８０は、周期的なビーコン送信を行い、無線通信手段としてのTag  Reader２０が、ＳＴＡ５０と大容量データの送受信を行う、無線通信手段Ｗｉ−Ｆｉ  ＡＰ３０（以下ＡＰ３０）、とから構成される。ＡＰ３０は、外部ネットワークと接続することでＭＮ１０に対してインターネット接続性を提供する。なお、Ｔａｇ４０及びＴａｇ  Ｒｅａｄｅｒ２０は、無線通信時に使用する周波数帯は９５０ＭＨｚに制限されず、各国の周波数政策に規定に則って使用が可能な周波数帯を使用することで、本実施の形態にかかる無線通信システム１を構成できる。
【００１１】
図１において、移動中のＭＮ１０は、ＡＰ３０の無線伝播範囲６０及びTag  Reader２０の無線伝播範囲７０の外から中へと移動している。図１の無線通信システムの構成では、ＡＰ３０の無線伝播範囲６０とTag  Reader２０の無線伝播範囲７０は同程度の大きさとなるように調整をしてある。
ＭＮ１０は、ＡＰ３０の無線伝播範囲６０及びTag  Reader２０の無線伝播範囲７０の外にいるとき、ＳＴＡ５０の電源をＯＦＦとしている。ＭＮ１０は、ＡＰ３０の無線伝播範囲６０及びTag  Reader２０の無線伝播範囲７０の中に入ったとき、ＳＴＡ５０の電源を入れる。このように、ＡＰ３０と通信ができない範囲では、ＳＴＡ５０の電源をＯＦＦとすることで、省電力化を図っている。
【００１２】
図１において、ＭＮ１０は、携行可能な電子機器であり、ケータイ電話、ノートパソコン、デジタルカメラ、携帯型テレビ、携帯型ゲーム機器などのデジタル情報処理装置であってもよい。
【００１３】
図２は、本実施の形態におけるＭＮ１０を構成する機能ブロック図である。ＭＮ１０は、Ｔａｇ無線部１００、受信部１０２、送信部１０１、Ｔａｇ−ｄａｔａフレーム生成部１０３、周期的起動制御部１０４、受信ビーコン解析部１０５、ＳＴＡ−ｓｔａｔｅ記録部１０６、ＳＴＡ制御部１０７、ＳＴＡ無線部１０８、送信部１０９、受信部１０８を備える。
【００１４】
Ｔａｇ無線部１００は、送信部１０１と受信部１０２を備える。送信部１０１は、Ｔａｇ４０の無線通信時のデータを送信する機能を有す。受信部１０２は、Ｔａｇ４０の無線通信時のデータを受信する機能を有す。
【００１５】
Ｔａｇ−ｄａｔａフレーム生成部１０３は、Ｔａｇ４０が送信するデータフレームを生成する機能を有す。Ｔａｇ−ｄａｔａフレーム生成部１０３は、後述するＳＴＡ制御１０７からの指示を受けることで、生成するＴａｇ−ｄａｔａフレームの構成を変える。本実施の形態を実施するに際し、最良のＴａｇ−ｄａｔａのフレームフォーマット例を図４に提示する。なお、図４はフォーマット例であり、図４記載の構成に制限するものではない。
図４においてＴｙｐｅとはフレームのタイプを示すフィールドで、type=00は:ビーコンフレーム（Ｔａｇ  Ｒｅａｄｅｒ２０が送信）であり、type=01は:Tag-dataフレーム（MN１０が送信）である。また、codeとは制御メッセージを記載、実行内容を示し、  １．ビーコンフレーム(type = 00)の時はcode=00がＳＴＡ５０の動作を指示を、code=01がＳＴＡ５０の停止を指示を、また、Tag-dataフレーム(type = 01)の時には、code=00は：STA50の状態とMACアドレスの通知を示す。
次に、payloadフィールドに挿入するデータの説明をおこなう。ID:  type = 00のときは Tag Reader20固有のIDを、type = 01のときは Tag40固有のIDを、さらに以下、type = 01のときのみの使用として、STA50の状態がSTA50の電源のON/OFF状態とMACアドレスを含む。
【００１６】
周期的起動制御部１０４は、Ｔａｇ無線部１００の受信部１０２を周期的に起動と停止を繰り返す処理をさせるための制御を行う機能を有す。受信部１０２の周期的な起動制御を行うことで、消費電力の低減化を図ることができる。周期的な起動の具体的な手法の例としては、受信部１０２を１００ミリ秒起動して１秒停止するといった、予め決められた時間周期での起動が挙げられる。また、Ｔａｇ  Ｒｅａｄｅｒ２０が送信するビーコン間隔より長く受信部１０２の起動時間を予め設定しておくことで、ビーコンの受信を可能とする手法もある。このとき、Ｔａｇ  Ｒｅａｄｅｒ２０のビーコン送信間隔が５ミリ秒に一回であったとしたら、受信部１０２を１０ミリ秒の起動を任意の時間間隔で周期的に実施すればよい。なお、周期的起動制御部１０４では、Ｔａｇ４０の消費電力低減化を目的とした受信部１０２の起動制御手法は上記手法に制限はされない。
【００１７】
受信ビーコン解析部１０５は、Ｔａｇ  Ｒｅａｄｅｒ２０より受信部１０２が受信したビーコンの解析を行う機能を有す。受信ビーコン解析部１０５は、ビーコン内にＭＮ１０のＭＡＣ（Ｍｅｄｉａ
Ａｃｃｅｓｓ  ｃｏｎｔｒｏｌｌ）アドレスが入っていたときには、ＳＴＡ無線部１０８の起動をＳＴＡ制御部１０７に通知する。
【００１８】
ＳＴＡ−ｓｔａｔｅ記録部１０６は、ＭＮ１０が備えるＳＴＡ無線部１０８の状態（ｏｎもしくは０ＦＦ）を記録する機能を有する。本実施の形態では、Ｔａｇ  Ｒｅａｄｅｒ２０より受信したビーコンによりＳＴＡ無線部１０８のＯＮとＯＦＦの制御を自動で行っている。この自動制御の結果で実施する、状態遷移後のＳＴＡ状態をＳＴＡ―ｓｔａｔｅ記録部１０６に記録する。
ＳＴＡ制御部１０７は、受信ビーコン解析部１０５での解析結果に応じて、ＳＴＡ無線部１０８の状態遷移を実施する機能を有する。ＳＴＡ無線部１０８の電源をＯＮ及びＯＦＦを通知する。また、ＳＴＡ−ｓｔａｔｅ記録部１０６にＳＴＡ無線部１０８の状態を記録する機能を有する。
【００１９】
ＳＴＡ無線部１０８は、送信部１０９及び受信部１１０を備え、ＡＰ３０とのＷｉ−Ｆｉ通信を実施する機能を有する。ＳＴＡ無線部１０８は、Ｗｉ−Ｆｉ通信の標準プロトコルに沿った無線通信機能を有することで、ＡＰ２０を経由したインターネットへの接続性を確立する。また、ＳＴＡ制御部１０７よりの制御によって、電源のＯＮ及びＯＦＦを自動で制御される。
【００２０】
図３は、本実施の形態における基地局８０を構成する機能ブロック図である。基地局８０は、Ｔａｇ  Ｒｅａｄｅｒ無線部１１１、送信部１１２、受信部１１３、ビーコン送信制御部１１４、受信Ｔａｇ-ｄａｔａ解析部１１５、ＡＰ制御部１１６、接続リスト１１７、受信パケット懐石部１１８、ＡＰ無線部１１９、送信部１２０、受信部１２１、外部ネットワーク通信部１２２、送信部１２３、受信部１２４、を備える。
【００２１】
Ｔａｇ  Ｒｅａｄｅｒ無線部１１１は、送信部１１２、受信部１１３を備え、ＭＮ１０が備えるＴａｇ無線部１００との無線通信を実施する機能を有する。
【００２２】
ビーコン送信制御部１１４は、Ｔａｇ  Ｒｅａｄｅｒ２０が送信するビーコンを生成し、周期的に送信するタイミングを制御する機能を有する。後述するＡＰ制御部１１６が、ＭＮ１０のＳＴＡ５０宛てのパケットを受信した際には、後述する接続リスト１１７に記録している、ＳＴＡ５０のＭＡＣアドレスをビーコンに挿入して送信するようにＡＰ制御１１６はビーコン送信制御部１１４に通知する。通知を受けたビーコン送信制御部１１４は、ＳＴＡ５０のＭＡＣアドレスと、ＳＴＡ５０をＯＮとすることを指示する情報とをビーコンに付加して、ビーコンフレームを生成する。生成したビーコンは、ビーコン送信制御部１１４が管理する送信タイミングに即して送信される。
【００２３】
受信Ｔａｇ−ｄａｔａ解析部１１５は、ＭＮ１０が備えるＴａｇ無線部１００が送信するＴａｇ−ｄａｔａを受信した際に、Ｔａｇ−ｄａｔａフレームの解析を行う機能を有する。Ｔａｇ−ｄａｔａはＭＮ１０に備えられたタグのアドレスを主体とするがＭＮ１０に固有の情報ならば広帯域通信に関する情報も含めることができるＭＮ解析部であってもよい。本実施の形態を実施するに際し、最良のＴａｇ−ｄａｔａのフレームフォーマット例を図４に提示する。また、図４はフォーマット例であり、図４記載の構成に制限するものではない。受信Ｔａｇ−ｄａｔａ解析部１１５は、受信部１１３よりＴａｇ−ｄａｔａフレームを受け取り、フレーム内の各フィールド解析を行う。Ｔａｇ−ｄａｔａフレームには、ＭＮ１０のＳＴＡ５０のＭＡＣアドレスを通知するフィールド（図４記載の「ＳＴＡ５０のＭＡＣアドレス」フィールド参照）とＳＴＡ５０の状態を通知するフィールド（図４記載の「ＳＴＡ５０の状態」フィールド参照）を持つ。受信Ｔａｇ−ｄａｔａ解析部１１５は、「ＳＴＡ５０のＭＡＣアドレス」のフィールドと「ＳＴＡ５０の状態」のフィールドを参照して、ＳＴＡ５０のＭＡＣアドレスと状態を、後述する、接続リスト１１７に通知する。
【００２４】
ＡＰ制御部１１６は、後述する、ＡＰ無線部１１９を制御する機能と、ビーコン送信制御部１１４にビーコンへの挿入情報を通知する機能と、接続リストとアクセスする機能と、後述する、受信パケット解析部１１８とアクセスする機能とを有する。ＡＰ制御部１１６は、接続リスト１１７に格納されているＳＴＡ５０の状態に応じて、後述する、外部ネットワーク通信部１２２で受信したパケットを無線部１１９に即座に転送するか、ＳＴＡ５０を起動させる処理（後述）を行ってから無線部１１９に転送するかを判定する。
外部ネットワーク通信部１２２がＳＴＡ５０への転送パケットを受信したとき、ＡＰ制御部１１６は、接続リスト１１７を参照して、ＳＴＡ５０の状態情報を取得する。接続リスト１１７でＳＴＡ５０の電源がＯＮとなっていたときは、ＡＰ無線部１１９の送信部１２０にパケットを即座に渡し、パケットをＳＴＡ５０へ送信する。接続リスト１１７でＳＴＡ５０の電源がＯＦＦとなっていたときは、ビーコン送信制御部１１４に、ＳＴＡ50のＭＡＣアドレスをビーコンに挿入して送信することを通知して、ＳＴＡ５０を起動
させる。
【００２５】
接続リスト１１７は、受信Ｔａｇ−ｄａｔａ解析部１１５での解析結果を記録する機能と、ＡＰ制御部からの問い合わせに応える機能とを有す。なお、接続リスト１１７は、Ｗｉ−Fiを用いた無線通信時にＡＰ３０において保持するアソシエーション情報を格納するデータベースと同一に構成しても良い。また、接続リスト１１７は、ＡＰ３０がパケットの転送先を判定するために使用する、ａｒｐ（Ａｄｄｒｅｓｓ  Ｒｅｓｏｌｕｔｉｏｎ  Ｐｒｏｔｏｃｏｌ）データベースと同一に構成しても良い。
【００２６】
受信パケット解析部１１８は、外部ネットワーク通信部１２２が受信したパケットを解析する機能とＡＰ制御部とアクセスする機能とを有する。受信パケット解析部１１８は、外部ネットワーク通信部１２２より受信したパケットに記入してある宛先ＭＡＣアドレスを参照し、ＡＰ制御部１１６に転送すべきパケットの存在とその転送先ＭＡＣアドレスを通知する。ＡＰ制御部１１６は、通知されたＭＡＣア
ドレスを持つＳＴＡ５０が起動中か停止中かを接続リスト１１７を参照することで判定し、その後の処理（ＡＰ制御部１１６の説明箇所で述べた）を決定する。
【００２７】
ＡＰ無線部１１９は、送信部１２０と受信部１２１とを備え、Ｗｉ−Fi通信プロトコルに準拠した動作を行う機能を有す。
【００２８】
外部ネットワーク通信部１２２は、送信部１２３と受信部１２４とを備え、ＡＰ３０が外部ネットワークとの接続性を確立するための通信手段を有す。外部ネットワーク通信部１２２を構成する例としては、ｅｔｈｅｒｎｅｅｔ（登録商標），光通信といった有線ネットワークや、ＷｉＭAX，ケータイ電話の通信手段、ＰＨＳといった無線通信手段を挙げることができ、特定の通信手段に既定されない。
【００２９】
図５に、本実施の形態において、最良の手法での処理シーケンスの例を示す。
【００３０】
Ｓ３００では、ＳＴＡ５０の電源がＯＦＦとなっていることを示している。
【００３１】
Ｓ３０１では、Ｔａｇ４０が受信部１０２を動作と停止を周期的に繰り返すことで省電力化を図る処理を行っている。その間で必要に応じて、送信部１０１を動作させて、Ｔａｇ−ｄａｔａを送信する。送信部１０１をする起動イベントには、Ｔａｇ  Ｒｅａｄｅｒ２０からビーコンの受信、周期的に自動起動させる、といった手法が挙げられる。なお、送信部１０１の起動イベントは例示にあげた手法に既定はされない。
【００３２】
Ｓ３０２ではＴａｇ  Ｒｅａｄｅｒ２０が周期的にビーコンを送信する処理を示している。Ｔａｇ  Ｒｅａｄｅｒ２０はビーコンを既定の周期で送信する。
【００３３】
Ｔａｇ  Ｒｅａｄｅｒ２０は、周期に従ってビーコンを送信する（Ｓ３０３）。ビーコンには、ＳＴＡ５０の動作を通知する情報を付加して送信する。ビーコンを受信したＴａｇ４０は、ビーコンＩＤをＳＴＡ−ｓｔａｔｅ記録部１０６に通知する（Ｓ３０４）。ＳＴＡ−ｄａｔａ記録部１０６では、通知されたビーコンＩＤが記録済みのビーコンＩＤでないかを判定する。次に、ＳＴＡ−ｄａｔａ記録部１０６では、受信記録済みのビーコンＩＤではなく、ＳＴＡ５０の電源がＯＦＦの状態ではないかの判定を行う（Ｓ３０５）。記録済みのビーコンでなかった場合には、ＳＴＡ−ｓｔａｔｅ記録部にビーコンＩＤを記録する（Ｓ３０６）。
【００３４】
ＳＴＡ５０の電源がＯＦＦ、かつＳＴＡ-ｓｔａｔｅ記録部１０６にて記録済みでないビーコンＩＤを受信した場合には、ＳＴＡ−ｓｔａｔｅ記録部１０６は、ＳＴＡ５０をＯＮにするようＳＴＡに通知する（Ｓ３０８）。ＳＴＡ５０は、正常にＯＮとできたことをＳＴＡ−ｓｔａｔｅ記録部１０６に通知する（Ｓ３０９）。
【００３５】
同時に、ＳＴＡ５０をＯＮとしたことをＴａｇ４０に通知する（Ｓ３０７）。Ｓ３０７での通知を受けたＴａｇ４０は、Ｔａｇ−ｄａｔａにＳＴＡ５０のＭＡＣアドレスとＳＴＡ５０をＯＮとした情報を挿入して、Ｔａｇ−ｄａｔａを送信するタイミングまで待ってから送信する（Ｓ３１０）。即座に送信せず待機するのは、省電力化を目的にＴａｇ無線部１００が備える送信部１０１が常時起動させていないため、起動するタイミングに合わせる必要があるためである。
【００３６】
Ｔａｇ−ｄａｔａを受信したＴａｇ  Ｒｅａｄｅｒ２０は、接続リスト１１７にＳＴＡ５０のＭＡＣアドレスを記録する（Ｓ３１１）。
電源がＯＮとなったＳＴＡ５０は、ＡＰ３０に対して、Ｗｉ−Fiでの無線通信を開始するための標準プロセスを実行する（Ｓ３１２）。Ｓ３１２の完了後、ＡＰ３０が備えるＡＰ制御部１１６は接続リスト１１７にＳＴＡ５０がＯＮとなっている情報を記録すると同時に、Ｗｉ−Ｆｉでの接続に必要な情報（アソシエーション情報など）も記録する（Ｓ３１３）。
【００３７】
ＡＰ３０の伝搬範囲に入ったＭＮ１０が、ＡＰ３０とのＷｉ−Ｆｉ接続が完了した後は、以下３つの理由で、ＡＰ３０の無線伝搬範囲６０にＭＮ１０に存在していてもＷｉ−Ｆｉのリンクのダウンは起こる（Ｓ３１４）。ひとつ目は、通信を完了。ふたつ目は、人が明示的にＳＴＡ５０の電源をＯＦＦとすること。三つ目は、タイムアウトでのＷｉ−Ｆｉ接続終了によって、ＳＴＡ５０とＡＰ３０との間の無線リンクがダウンしていること。
各いずれかの理由でＳＴＡ５０の電源がＯＦＦとなった後で、Ｔａｇ  Ｒｅａｄｅｒ２０からビーコンを受信しても（Ｓ３１５、Ｓ３１６、Ｓ１７），ＳＴＡ−ｓｔａｔｅ記録部１０６ではビーコンＩＤを記録せず（Ｓ３１８）、ＳＴＡ５０をＯＦＦの状態を維持する判定を行う。
【００３８】
ＳＴＡ−ｓｔａｔｅ記録部１０６は、ＳＴＡ５０のＯＦＦ状態を維持することをＴａｇ４０に通知する（Ｓ３１９）。Ｔａｇ４０は、Ｔａｇ−ｄａｔａフレームにＳＴＡ５０をＯＦＦとしている情報を挿入し、送信する（Ｓ３２０）。Ｔａｇ―ｄａｔａを受信した、Ｔａｇ  Ｒｅａｄｅｒ２０は、接続リスト１１７に記録されているＳＴＡ５０の状態を、電源がＯＦＦの状態であると変更する（Ｓ３２１）。
図６に、ＳＴＡ−ｓｔａｔｅ記録部１０６が、ＳＴＡ５０を電源ＯＮとするか電源ＯＦＦとするかの判定基準を、ＳＴＡ５０の状態と受信したビーコンＩＤの状態の組み合わせで分類した表である。Ｓ３１８では、図６に従って、ＳＴＡ５０の電源ＯＦＦという状態を維持すると判定した。
【００３９】
ＳＴＡ５０の電源をＯＦＦとしている、ＭＮ１０に対して、外部ネットワークを経由してパケットが送信されてくることがある。例としては、ＶｏＩＰ（Ｖｏｉｃｅ  ｏｖｅｒ  ＩＰ）を用いて、ＩＰネットワーク上で音声通話を行うアプリケーションを使用している場合が挙げられる。このとき、音声通話の相手には、ＭＮ１０のＳＴＡ５０の状態は分らないので、音声通話終了後に再度音声通話の開始を要求したとき、ＳＴＡ５０の電源がＯＦＦとなっていてもＭＮ１０宛てのパケットは転送されてくる。このような場合を想定して、以下、図１記載のシーケンスを説明する。
【００４０】
このとき、ＳＴＡ５０宛てのパケットを受信したＡＰ３０では（Ｓ３２２）、接続リスト１１７でＳＴＡ５０の状態を確認し（Ｓ３２３）、ＳＴＡ５０がＯＮとなっており、Ｗｉ−Ｆｉ接続用のアソシエーション情報がある場合には、Ｗｉ−Fｉを用いて即座にＳＴＡ５０宛てパケットを送信する（Ｓ３２６）。
【００４１】
また、Ｓ３２３において、接続リスト１１７でＳＴＡ５０がＯＦＦの状態となっていた場合には、ＳＴＡ５０の起動を要求するための処理を開始する（Ｓ３２５）。
ＡＰ３０は、ビーコンにＳＴＡ５０のＭＡＣアドレスを挿入して送信することを要求する（Ｓ３２７）。Ｔａｇ  Ｒｅａｄｅｒ２０では、ビーコンにＳＴＡ５０のＭＡＣアドレスを挿入し、ビーコンの送信タイミングで送信する（Ｓ３２８）。このときのビーコンフォーマット例は図４を参照のこと。
【００４２】
Ｔａｇ  Ｒｅａｄｅｒ２０が送信したビーコン（Ｓ３２９）を受信したＴａｇ４０は、ビーコンに挿入されていた、ビーコンＩＤ及びＭＡＣアドレスをＳＴＡ−ｓｔａｔｅ記録部１０６に通知する（Ｓ３３０）。ＳＴＡ−ｓｔａｔｅ記録部１０６は、ビーコンに挿入されていた、ＭＡＣアドレスがＳＴＡ５０のＭＡＣアドレスとの一致を判定する（Ｓ３３１）。
【００４３】
ＳＴＡ５０のＭＡＣアドレスと一致した場合には、ＳＴＡ５０に対して起動コマンドを通知する（Ｓ３３２）。電源をＯＮとした、ＳＴＡ５０は（Ｓ３３３）、ＡＰ３０に対してＷｉ−Fiの接続シーケンスを実行する（Ｓ３３４）。Ｗｉ−Ｆｉの接続処理が完了した後で、ＡＰ３０では、接続リスト１１７で記録しているＳＴＡ５０の状態を電源がＯＮであると記録し（Ｓ３３５）、ＳＴＡ５０宛てのパケットをＷｉ−Fiを使用して送信する（Ｓ３３６）。
（実施の形態２）
、本実施の形態を構成する無線通信システム２の全体構成例を示す図である。無線通信システム２は、ＭＮ１０（Ｍｏｂｉｌｅ  Ｎｏｄｅ１０、以下、ＭＮ１０）と、Ｔａｇ  Ｒｅａｄｅｒ２１と、Ｔａｇ  Ｒｅａｄｅｒ２２と、Ｗｉ−Ｆｉのアクセスポイント    ＡＰ３０（Ｗｉ−Ｆｉ  Ａｃｃｅｓｓ  Ｐｏｉｎｔ２０、以下ＡＰ２０）、とを含む。
ＡＰ３０とＴａｇ  Ｒｅａｄｅｒ２１は通信が可能な構成となっている。通信手段は、有線、無線の通信手段を問わない。ＡＰ３０とＴａｇ  Ｒｅａｄｅｒ２２の間でも通信が可能な構成となっており、有線、無線の通信手段を問わない。またＭＮ１０はＭＮ１０ｂ、ＭＮ１０ｃで示すように移動する場合を例に示す。
【００４４】
実施の形態１との差異は、ＡＰ３０の伝搬範囲６０とＴａｇ  Ｒｅａdｅｒ２１の伝搬範囲７１及びＴａｇ  Ｒｅａderの伝搬範囲７２が一致していない点である。ＡＰ３０の無線伝搬範囲６０の中をＴａｇ  Ｒｅａder２１及びＴａｇ  Ｒｅａder２２の設置の仕方によって、細かく区切ることができる。
【００４５】
具体的な処理としては、以下である。Ｔａｇ  Ｒｅａｄｅｒ２１では、ビーコンを用いてＳＴＡ５０への電源ＯＮを通知しているが、Ｔａｇ  Ｒｅａｄｅｒ２２では、ビーコンを用いてＳＴＡ５０への電源ＯＦＦを通知している。このような構成を取ることで、ＡＰ３０の伝搬範囲内で、ＭＮ１０がＷｉ−Fiでの接続を許可する場所と許可しない場所に分けることができる。
【００４６】
Ｔａｇ  Ｒｅａｄｅｒ２２に対して、ビーコンでＳＴＡをＯＦＦとすることを通知していても、ＳＴＡ５０宛てのパケットがＡＰ３０に転送されてきたら、ビーコンにＳＴＡ５０のＭＡＣアドレスを挿入して通知することで、ＳＴＡ５０を起動させることができる。このとき、Ｔａｒ  Ｒｅａｄｅｒ２２の伝搬範囲７２の中にいる、ＳＴＡ５０を備えたＭＮ１０以外のＭＮはＳＴＡを起動することなく、ＭＮ１０のＳＴＡ５０だけが起動する。
【産業上の利用可能性】
【００４７】
以上のように本発明にかかる読取装置は、可搬型のデータターミナル装置に有効であり、特に特定用途に用いるいわゆるＰＤＡ等の機器に有効である。特定用途とは、たとえば老人介護の民生委員、または医師らが、特定者のカルテ、行動記録等を閲覧する場合に、その特定者の家に設置した基地局によって記録を閲覧するような場合のプライバシー保護、あるいは観光地の案内等が上げられ、このような場合に本願発明はデータターミナル、データシステムとして有用である。
【図面の簡単な説明】
【００４８】
【図１】本発明の第一の実施の形態にかかる無線通信システムの全体構成例を示した図。
【図２】ＭＮの構成例を示した機能ブロック図。
【図３】基地局の構成例を示した機能ブロック図。
【図４】Ｔａｇ及びＴａｇ  Ｒｅａderが送信するフレームフォーマット例を示した図。
【図５】本発明の第一の実施の形態にかかる無線通信方法の処理のシーケンスを示した図。
【図６】Ｔａｇが受信したビーコンとＳＴＡの状態を遷移させる判定の関係を示した図。
【図７】本発明の第二の実施の形態にかかる無線通信システムの全体構成例を示した図。
【符号の説明】
【００４９】
１  モバイルノード
２  基地局装置
３  アクティブタグ
４  ワイファイ通信ステーション
５  タグリーダ
６  ワイファイアクセスポイント
１０  モバイルノード
２１  タグリーダ１
２２  タグリーダ２
３０  ワイファイ  アクセスポイント
１００  タグ無線部
１０６  ＳＴＡ−ｓｔａｅ記録部
１０８  ＳＡＴ無線部
【図１】
2010206435.tif 000003
【図２】
2010206435.tif 000004
【図３】
2010206435.tif 000005
【図４】
2010206435.tif 000006
【図５】
2010206435.tif 000007
【図６】
2010206435.tif 000008
【図７】
2010206435.tif 000009